Podtech/llm-jp-corpus-v4-ja_patent huggingface dataset:
(57)【要約】      （修正有）【課題】カゴにエサをいれ誘い込み、強いばねを２本使用するのでは捕獲がむずかしい親ねずみ、子ねずみを捕獲する。【解決手段】製品はセンサー、モーターを使用し、やぐらとカゴも使用する。センサーが作動し、モーターに触り、本体を吊るしてある横棒エルに触れ、本体の重みで落下する。本体は底が真ん中から２枚になっており、カゴの中の四隅に４本柱を立て上下するようになっており、カゴが落下した時、片方の底がねずみに押され、上に上がりもう片方の底板に這い上がり、その瞬間上がっていた底板が元通りになり、カゴの中から出られなくなる仕組みです。【選択図】図１
2010115113.tif 000002
【特許請求の範囲】
【請求項１】
センサーとモーターを使用した落下方式、やぐらと本体の吊るし棒を安定させモーターのエル棒で本体の本体のエル棒を押して落下させる。捕獲後、本体の底の両端にレールに差込口をつけ、底板をレールの中に押し込み、底にする。
【請求項２】
センサー、モーターを使用しない製品の場合、やぐらから吊るしてあるエル棒の先に糸を地面まで垂らし、エサをつけねずみがエサに触れた場合バネでないのでモーター同様簡単に落下し、捕獲する事ができる。
【発明の詳細な説明】
【考案の詳細な説明】
【技術分野】
【０００１】本製品はセンサー、モーターを使用し、やぐらとカゴも使用する。センサーが作動し、モーターに触り、本体を吊るしてある横棒エルに触れ、本体の重みで落下する。本体は底が無く、ねずみを上から捕獲する。エサは本体の地面の中心に置くだけ。ねずみがセンサーエリア内に入った瞬間に捕獲する。
【背景技術】
【０００２】カゴにエサをいれ誘い込み、強いばねを２本使用している。従来の技術では親ねずみ、子ねずみを捕獲するのはむずかしい。
【背景の技術】
【０００３】センサーとモーターで作動させ、やぐらに吊るしてある底のない本体のエル棒にモーターのエル棒が触れ落下する。バネは使用せず、やぐらの上のところに本体の引っ掛け金具をエル棒の根元に本体が落下しないように吊るす。引っ掛けたエル棒の上にモーターのエル棒を上に置き、触れ合うようにセットする。
【考案が解決しようとする課題】
【０００４】エサを地面に置き、上から落下させて捕獲する。センサー、モーターを使用する事によって、簡単に捕獲が可能。
【課題を解決するための手段】
【０００５】ねずみをかごの中に入れてバネを使用しないエサを吊るさない。本製品は簡単に捕獲できるように、本体を上に吊るし、センサーとモーターを使用し、ねずみがセンサーのエリア内エサ場に入った瞬間センサーが作動し、モーターに伝えて本体を吊るしてあるエル棒に触れて落下して捕獲する。
【発明の効果】
【０００６】従来の捕獲器はかごの中にエサを入れ強いバネで捕獲していたので捕獲効果が薄い。本製品は、動力以外に電池式のモーターを採用し、電源の無いところでも使用が出来、センサーで簡単に捕獲できます。
【発明を実施するための最良の形態】
【０００７】やぐらにカゴを上下するようにとりつけ、やぐらの上の部分にモーターを取り付け、下の地面の部分にセンサーを置き、カゴの地面の中心にエサを置き、カゴをやぐらに吊るしてあるエル棒の根本に落下しないように吊るす。センサーの範囲はカゴからカゴの範囲で作動するように仕掛ける。
【図面の簡単な説明】
【０００８】▲１▼は本体を吊るすやぐら、▲２は本体（カゴ）、▲３▼は本体を吊るす棒、▲４▼は本体を吊るすエル棒、▲５▼はモーター、▲６▼は▲４▼のエル棒を押えるエル棒、▲７▼はセンサーとモーターをつなぐ配線、▲８▼はセンサー、▲９▼はエサ、▲１０▼はセンサー反射板
【図１】
2010115113.tif 000003
【手続補正書】
【提出日】平成19年8月22日(2007.8.22)
【手続補正１】
【補正対象書類名】明細書
【補正対象項目名】０００８
【補正方法】変更
【補正の内容】
【０００８】
【図１】側面図
(57)【要約】      （修正有）【課題】従来のイカ釣り用ルアーであるエギはオモリが固定式である為に岩礁等の障害物にオモリが引っ掛かってエギが回収出来なくなってしまう事があり、イカの生息地である岩礁帯等をよりタイトに釣る事はリスクを伴った。また、岩礁等に引っ掛かったエギはそのまま海底に放置される事となり環境にも良くない。【解決手段】一番出っ張っていて引っ掛かりやすいオモリを格納式にする事により、岩礁等に引っ掛かった場合にオモリが本体内に格納され根がかりを回避する事が可能になる。【選択図】図２
2010115146.tif 000002
【特許請求の範囲】
【請求項１】
イカ釣り用のルアー、エギのオモリ部分がエギ本体内部に格納する構造を持つエギ
【請求項２】
エギのオモリがバネ等の弾性を有する物で押されていて本体内部に格納したオモリが元の位置に復帰する構造を持つ請求項1のエギ
【発明の詳細な説明】
【技術分野】
【０００１】
本発明は、根がかりを防ぐ構造のオモリを持つイカ釣り用のルアーであるエギのものである。
【背景技術】
【０００２】
従来のエギは其の殆どが固定式且つ下部に出っ張っているオモリを持つ構造の為、エギを海底に沈めた時に岩礁等の障害物にオモリが引っ掛かりエギが回収出来なくなってしまう事がある。
【０００３】
中にはオモリが遊動式のエギも存在するがエギ本体内に格納するものでは無く、且つエギの沈降スピードを変えたり沈降角度を変える為の機能であり本発明の趣旨とは異なる。
【特許文献１】特許公開2007-185112
【特許文献２】特許公開2005-253421
【特許文献３】登録実用新案第3104036号
【発明の開示】
【発明が解決しようとする課題】
【０００４】
イカ釣り用のルアー、エギにおいてオモリが岩礁等の障害物に引っ掛かってエギが回収出来なくなるのを防ぐ物である。
【課題を解決するための手段】
【０００５】
従来固定式だったオモリだが、本発明のエギはオモリが岩礁等の障害物に引っ掛かり一定の力が加わるとオモリがエギ本体内に格納されて根がかりを外し回避する事が出来るものである。
【発明の効果】
【０００６】
本発明のエギは根がかりを軽減する事が可能な為、根がかりを恐れずにより岩礁等の障害物をタイトにエギを送り込む事が出来、より多くのイカを釣る事が期待できる。また、エギを根がかりの為に回収出来なくなる事を防ぎ環境にも良い事につながる。
【実施例１】
【０００７】
以下、本発明の実施例を図面に基づき説明する。
図1は従来のエギの一例でオモリは固定式の為、根がかりすると外すのは困難である。
【０００８】
図２-aの状態で障害物等にエギのオモリ部が引っ掛かりオモリ部分に力が加わると図2-bの様にエギ本体内のオモリ格納部にオモリが格納される。よって障害物に引っ掛かってる部分が無くなる為に根がかりを回避する事が出来る。
【０００９】
図３の様にエギ本体内に格納されたオモリは本体に一部を固定されたバネ状の弾性体で押える事により、また元の定位置にオモリが復帰する。
【００１０】
図4はエギを正面から見た断面図で従来のエギ同様に正面から見て左右の中心の位置にオモリが設置されてある。
【００１１】
図5は岩礁にエギのオモリ部が引っ掛かった一例でオモリが固定式だと根がかりを外すのは困難である。
【図面の簡単な説明】
【００１２】
【図１】従来のエギの一例
【図２】エギのオモリに力が加わりエギ本体内部にオモリが格納する図（１部透視図）
【図３】オモリ格納部の拡大図（１部透視図）
【図４】エギの正面断面図
【図５】エギが障害物に引っ掛かった一例
【符号の説明】
【００１３】
1  オモリ
2  エギ本体
3  オモリ押し戻し用のバネ状の弾性体
4  オモリ格納部
5  オモリ可動部の支点
a  オモリ定位置状態のエギ
b  オモリ格納状態のエギ
【図１】
2010115146.tif 000003
【図２】
2010115146.tif 000004
【図３】
2010115146.tif 000005
【図４】
2010115146.tif 000006
【図５】
2010115146.tif 000007
(57)【要約】【課題】    米糠を煎りそこに柿の下し汁又はお茶を入れ全体に浸透させ良く撹拌し、これを煮詰め乾燥させたタンニン処理米糠を提供する。【解決手段】    鍋（１）に米糠（２）を入れ煎りそこに柿の下し汁（３）又はお茶（４）を入れ全体に浸透させ良く撹拌し、これを煮詰めて乾燥させる。【選択図】図１
2010115186.tif 000002
【特許請求の範囲】
【請求項１】
米糠を煎り、そこに柿の下ろし汁又はお茶を入れ、全体に浸透させて撹拌し煮詰め乾燥させて、タンニン処理をしたことを特徴とする米糠。
【発明の詳細な説明】
【技術分野】
【０００１】  この発明は、煎った米糠に柿の下し汁又はお茶を加え全体に浸透させ良く撹拌し、煮詰め乾燥させた、タンニン処理米糠に関するものである。
【背景技術】
【０００２】  従来、米糠を錠剤にするものがあった。
【特許文献１】特許公開２００８−８６２０６
【発明の開示】
【発明が解決しようとする課題】
【０００３】  これには次のような欠点があった。
米糠の錠剤であるので米糠の臭いや嫌な風味が残り、嫌われる面があった。
本発明は、これらの欠点を除くためになされたものである。
【課題を解決するための手段】
【０００４】  米糠を煎りそこに柿の下し汁又はお茶を加え全体に浸透させ良く撹拌し、煮詰め乾燥させたタンニン処理米糠である。
【発明の効果】
【０００５】  本発明は、食材としてのタンニン処理米糠に関するもので、これを主たる材料としてクッキーや振掛けを作ることで、新しい健康食品の開発が可能となると考えている。
米糠はその約３分の１が植物性蛋白質であり、他に米油やビタミン、ミネラル、食物繊維を含むなど、極めて優秀な食材でありながらその臭いや嫌味などから、有効な食品として開発されずにいた。本発明によれば、煎ることでまず特有の嫌味の大半が抜けると同時に良い風味が付き、さらにこれに柿の下し汁又はお茶を加え全体に浸透させて良く撹拌し煮詰めることで、米糠の臭いと嫌なくせを柿やお茶のタンニンが包み込み封じる効果が想像され、米糠の臭いや嫌味が殆ど消えるという結果を生んでいる。柿渋や茶渋の成分のタンニンを始めとするポリフェノールには、このような効果が期待される。柿渋や茶渋の消臭効果は知られていることで、本発明はこれを米糠に応用したものである。柿渋は渋抜きされた柿にも渋く感じない状態で残っており、米糠に作用させてもそれが渋くはならない。実際食べるときは、これに砂糖、ミルク、メレンゲ等を混ぜ撹拌し、絞り袋で絞りオーブンで焼いてクッキーにしたり、パンの材料の一部にしたり、又は味噌や鰹節の粉や昆布の粉を練り混ぜて煎り、乾燥させて振掛けの材料とすることが出来るのである。こうして米糠を日常的に摂取でき健康増進に役立つのである。本発明は、結果として食材として優秀な米糠と、柿やお茶のポリフェノールとの結合が出来、抗酸化力が高くかつ植物性蛋白質やビタミン、ミネラル、食物繊維など必要な栄養素が結晶化された天然の食材として完成しているといえるのである。また米糠は価格も極めて安く大量に国内に存在し、毎年米の生産にともない自給されているものである。日本人の食生活上取るべき蛋白質の多くは、牛豚鶏などの肉に依存しているが、それらの肉の輸入や国内の畜産のための飼料の輸入には、莫大な費用がかかっており、大恐慌が到来するかも知れないという今日、経費の節減及び食料の自給は国家的目標になってきている。その点、本発明は、これらの課題をクリアーしているといえる。
【発明を実施するための最良の形態】
【０００６】  以下、本発明の実施形態について説明する。
鍋（１）に米糠（２）を入れ煎りそこに柿の下し汁（３）又はお茶（４）を加えて全体に浸透させ良く撹拌し、これを煮詰めて乾燥させたタンニン処理米糠。
【図面の簡単な説明】
【０００７】
【図１】  本発明の作成過程の模式図
【符号の説明】
【０００８】  １  鍋
２  米糠
３  柿の下し汁
４  お茶
【図１】
2010115186.tif 000003
(57)【要約】【課題】  低脂肪・低カロリーのケーキを提供する事で、肥満や血糖値を抑え、メタボリックシンドロームや糖尿病の方にも一年に一度のお誕生日ケーキを家族と共に、召し上がれる様に考案したものである。【解決手段】    バースデーケーキは、高脂質・高糖質な為、高エネルギーな食品であり、消化吸収後は高血糖になりやすく、膵臓への負担も考えられる。オリゴ糖や蒟蒻粉を使用し、脂質や糖質を抑える事により、カロリーを抑えビフィズス菌の活性を促しひいては大腸にて難消化食物繊維により、便通を良くしたり様々な角度から血糖値の上昇遅延を考えている。【特許請求の範囲】
【請求項１】
甘味料の大部分は、カロリーゼロのエリスリトールを使用する。
【請求項２】
バターやショートニング・サラダ油は使用しない。
【請求項３】
甘味料の一部に、オリゴ糖を使用し、腸内細菌の活性を促す。
【請求項４】
蒟蒻粉を使用し、ケーキの保水性を保ちながら、難消化性食物繊維により血糖値の上昇を抑制する。
【請求項５】
小麦粉やとうもろこしでんぷん・じゃがいもでんぷんの難消化性食物繊維により血糖値の遅延を行う。
【請求項６】
無脂肪牛乳・低脂肪生クリームを使用し、従来の脂肪分を大幅にカットする。
【請求項７】
これらの相乗効果により低カロリーケーキを実現する。
【発明の詳細な説明】
【技術分野】
【０００１】  本発明は、グラニュー糖や、バター・サラダ油を使用せず、エリスリトールや、蒟蒻粉・オリゴ糖を使用し、食品構成の一部を置換及び応用することにより、低カロリーで血糖上昇を抑制し、生活習慣の改善に関するものである。
【背景技術】
【０００２】  食生活の欧米化、高カロリー食品の氾濫、運動不足、睡眠不足等、生活習慣が乱れ又、肥満が増加してきている。２００８年より特定保険審査も始まり、その先にある食後高血糖・高血圧・高脂血症又、糖尿病予備軍から糖尿病そして合併症へと年々増加傾向にあり、日本の医療財政にも影響が出ている。【０００３】  今日の食生活を取り巻く環境に慣れてしまい、変えることは難しくなっており、おいしく食べながらカロリーダウンすることが脂肪や、メタボリック予防に繋がると考える。【０００４】  従来のバースデーケーキや、デコレーションケーキと同じ型を作り味や歯ごたえも変わらずに、低カロリーにする事で血糖値を抑え、又オリゴ糖や蒟蒻粉を使用し、その保有する生理効果を複合する事により、体に優しいケーキを作る事が必要である。【０００５】  糖尿病や血糖値が気になる方にカロリーを抑えた誕生日のケーキを食べる事は、心癒され家族団欒や食育にも繋がると考える。
【発明の開示】
【発明が解決しようとする課題】
【０００６】  本発明の目的は、従来のバースデーケーキやデコレーションケーキと同じ型や、甘味、歯ざわりを保ちながら、グラニュー糖やバター・サラダ油を使用せず、種々の素材及び食品の生理効果を利用し、より低カロリーのケーキを作る事にある。
【課題を解決するための手段】
【０００７】  本発明はグラニュー糖をエリスリトールの甘味料にし、バターやショートニング・サラダ油を使用せず、カロリーゼロの甘味料で厚生労働省許可、特別用途食品のラカントＳサラヤ株式会社Ａの製品やラカンカット株式会社エム・エイチ・ビーＭＬの製品を使用し、カロリーゼロに置換する。
卵黄を減らして、この粘着力等は蒟蒻のゲル化で行っておりこの蒟蒻は難消化性食物繊維であり血糖上昇の遅延にも役立っている。
バターやショートニング・サラダ油の重量感は、保水性の高いオリゴ糖を置換している。これは、厚生労働省許可・特定保健用食品のオリゴのおかげ株式会社パールエースＷの商品を使用する。尚、他のオリゴ糖食品でも代用出来る。
カスタードクリームは、とうもろこしでんぷんを使用し、又、牛乳は無脂肪牛乳を使用し、脂肪分を抑えている。
【発明の効果】
【０００８】  本発明は、従来のバースデーケーキやデコレーションケーキと見た目や型・歯ざわりを損なう事無く、食品構成の一部を置換及び応用することにより、低カロリーのケーキを実現することが出来る。
【発明を実施するための最良の形態】
【０００９】  グラニュー糖の甘味部分をエリスリトール（ぶどう糖醗酵甘味料）に置換する。
エリスリトールは四炭糖の糖アルコールで抗う触性もありこのエリスリトール９９％を含むラカントＳやラカンカットを使用するとすっきりした甘さが保たれる。【００１０】  卵黄を抑える事により、粘着性を蒟蒻のゲル化で利用する。保水性も含め、より良い効果が得られる。蒟蒻は難消化性食物繊維で腸内でガサを増やし、排泄する為、胆汁酸の吸収及び、ＬＤＬコレステロールの減少にも附与すると考える。これにより脂肪の吸収を抑え、内臓脂肪の減少も考えられる。【００１１】  バターやショートニング・サラダ油は使用せず、オリゴ糖で置換する。オリゴ糖は抗う触性があり、腸内においてはビフィズス菌のエサになる。ビフィズス菌はビタミンＢ類を生産したり、免疫性を高めたり、有用菌が優勢する事で、ウエルシュ菌等の有害菌劣勢の状態に維持する事も考えられる。この中には乳果オリゴ糖があり、ラクトースとフルクトースを結合させた甘味料でヒトは消化吸収出来ないと言われている。【００１２】  カスタードクリームや生クリームは無脂肪牛乳や低脂肪クリームを使用し、甘味はラカントＳやラカンカットを使用する。尚、他のエリスリトール商品でも代用出来る。【００１３】  りんごはカットしてから水にさらし、水切り後、再び別の容器で水煮にし、加熱後は湯切りしてカリウムを出来る限り取り除いたカロリーゼロのシロップに漬け込んでから使用する。糖尿病の合併症の腎症においてはカリウムの排出が不可欠であり、特に果物や野菜に多く含まれる、カリウムを取り除く事は必要である。
【実施例】
【００１４】
【表１】
2010115184.tif 000002
【表２】
2010115184.tif 000003
【表３】
2010115184.tif 000004
【表４】
2010115184.tif 000005
対照区は合計３１８５Ｋｃａｌであり一型では１５９２Ｋｃａｌになる。一型５人分と想定し１人分は３１８．４Ｋｃａｌになる。
試験区では合計１２８２Ｋｃａｌであり一型では６４１Ｋｃａｌになる。一型５人分と想定し１人分は１２８．２Ｋｃａｌになる。
対照区から試験区へおよそ５９．７％のカロリーオフになる。
【産業上の利用可能性】
【００１５】  約６０％のカロリーダウンは従来のケーキにはない、低カロリーのケーキを実現出来た。糖尿病が気になる方へお薦め出来る食品である。
【手続補正書】
【提出日】平成21年1月14日(2009.1.14)
【手続補正１】
【補正対象書類名】明細書
【補正対象項目名】００１４
【補正方法】変更
【補正の内容】
【００１４】
【表１】
2010115184.tif 000006
【表２】
2010115184.tif 000007
【表３】
2010115184.tif 000008
【表４】
2010115184.tif 000009
対照区は合計３１８５Ｋｃａｌであり一型では１５９２Ｋｃａｌになる。一型５人分と想定し１人分は３１８．４Ｋｃａｌになる。
試験区では合計１３２８Ｋｃａｌであり一型では６６４Ｋｃａｌになる。一型５人分と想定し１人分は１３２．８Ｋｃａｌになる。
対照区から試験区へおよそ５８．３％のカロリーオフになる。
(57)【要約】【課題】  本発明は、猫用のトイレ・トレーである。通常はトレー底部が平面（フラット）で猫の体に排泄物が付着しやすく非衛生的で清掃にも手間がかかる。そこで猫の体に排泄物が付着せず、清潔で健康的に管理できるトイレ・トレーを提供する。【手段】  トレー底部を二分して段差を設け、上段（１）と下段（２）を設ける。上段（１）底部には猫の四肢がすべらないよう凹凸（３）を設けることにより、猫は上段（１）を猫の排泄立ち位置、下段（２）を排泄場所として清潔に排泄することができる。下段（２）に敷くシートがズレないよう段差の両端にスリット（４）を設ける。シートをスリットに固定する箆（５）をトレー本体外側の専用ポケット（６）に付属させることにより、シートの装着が簡便かつ清潔に行えるようになり、シートの固定性も向上する。【選択図】図１
2010115185.tif 000002
【特許請求の範囲】
【請求項１】
トイレのトレー内部中央に段差を設けて二分し、上段を立ち位置、下段を排泄場所とする。これにより猫の四肢や腹部・尻部など体に排泄物が付着しない（するのを防ぐ）猫のトイレ。
【請求項２】
上段平面部にエンボス加工による凹凸を設け、排泄態勢で四肢がすべるのを防ぐ請求項１記載の猫のトイレ。
【請求項３】
段差部の上段両脇にスリット（切りこみ）を設ける。ここに下段に敷くシートの両端を差し込み固定する請求項１記載の猫のトイレ。
【請求項４】
一押しでスリット（切りこみ）にシートを差し込み固定する箆（へら）つき請求項１記載の猫のトイレ。
【発明の詳細な説明】
【技術分野】
【０００１】  本発明は猫が使用するためのトイレ・トレーであって、排泄する際に猫の体に排泄物（糞尿）が付着しない、清潔で衛生的に管理できる猫のトイレ・トレーに関するものである。
【背景技術】
【０００２】  従来、猫のトイレ・トレーは床面が平面（フラット）構造であり、床面に市販の使い捨てシートやトイレ砂を敷いて使用する。また、猫に排泄物が付着しないようシートや砂の上にメッシュ式スノコ状のものを設置したものや、シートがずれないようシートをトイレの外周部・格子状の線材等ではさみ固定するものも知られている。又、トイレの底部に窪みをつけたものもある。
【特許文献１】  特開２００６−２８８３２８号広報  特開２００８−２９３６０号広報  特開２００７−２０２５７０号広報  特開２００２−１５３１５９号広報  特開２００２−２１８８５８号広報
【発明の開示】
【発明が解決しようとする課題】
【０００３】  以上に述べた従来のトイレ・トレーにあっては、猫が使用する際に次のような問題点があった。
（イ）  猫が排泄する時は、座る姿勢で尾だけ持ち上げるため、平面構造でのシートや猫砂に臀部や四肢が全面的に接触してしまうので、フンが猫の体に付着したり、尿で脚が濡れたりしてしまう。特に長毛種や肥満猫では垂れさがった腹部まで濡れるので、トイレに行くとこ自体をイヤがる傾向にある。
（ロ）  猫は排泄に際して砂かけの習性があるが、猫砂は尿を固めるための凝固成分を含有しているところから、舞い上がった粘着性の粉塵が猫の個体、ヒト、家具、壁などに付着し、非衛生的である。またシートでは、砂かけ行為からシートがずれたり爪で破れたりすることが多い。このため排泄物がトレー本体を汚すばかりでなく、シートの破れから内包されている吸水性の化学薬品が飛びちり、舐めたり呼吸する過程で化学薬品を吸い込むことになる。ヒト、猫の健康にも害を及ぼしかねない。
（ハ）  汚れた猫の体を拭いたり、トレーを掃除する手間がかかり、衛生や健康の面からも飼い主には負担がかかる。
本発明は、以上のような問題点を解決し、猫の習性と排泄行動を衛生的に管理できるようになされたものである。
【課題を解決するための手段】
【０００４】    本発明は、トイレ・トレーの底面を中央で段差を設けて二分し、上段に猫の排泄立ち位置、下段に猫の排泄場所を設ける。上段床に凹凸を設けることによって、排泄姿勢の猫の脚がすべらないよう四肢を安定させることができる。
段差の両端にスリット部を設ける。そこにシートの両端を差し込むことにより、下段に敷くシートがズレにくくなりトイレ自体に直接排泄物付着することが減少する。シートを簡単に差し込むための箆（へら）を収納する専用ポケットを、トイレ外部に設けることによりシートの脱着が簡便となる、本発明は以上の構成よりなる猫が体を汚さず、ヒトにも衛生的な猫の立体トイレである。
【発明の効果】
【０００５】  本発明によって、猫はトレー上段の排泄立ち位置に四肢を安定させて排泄態勢に入り、臀部をシートを敷いた下段に向けて排泄する。段差があるので体に排泄物が付着でせず、使用済みシートは簡単に捨てられる。新しいシートは箆を使って簡単にセットできる。猫にもヒトにも居住環境にも衛生的な生活が担保される。
【発明を実施するための最良の形態】
【０００６】  以下、本発明の実施の形態を図面を参照して説明する。
（イ）  ポリプロピレンや樹脂などの材質による猫用トイレ・トレーの床部を二等分して段差をつけ、上段（１）と下段（２）の床を設ける。
（ロ）  上段（１）の床部には、猫が排世する際に四肢がすべるのを防止する凹凸（３）を設ける。また、上段（１）両端にはシートを固定するスリット（４）を設け、シートを固定する際に使用する専用の箆（５）をトイレ本体に付属させる。
（ハ）  シートは下段（２）に敷き、上段（１）のスリットに箆（５）でズレないよう固定する。
本発明は以上の構成よりなる。
本発明を使用する場合は、市販のシートをトイレの下段（２）に敷き、上段にかかるシートの両端を上段（１）のスリット（４）に箆（５）で差し込み固定しておく。箆（５）はトイレ本体外側の専用ポケット（６）に収納する。猫は排泄する際、上段に四肢を安定させて臀部を下段（２）に向けて排泄態勢をとり、排泄する。猫は上段（１）の立ち位置をシツケると簡単に会得して下段に排泄するものである。従来のフラットな床部では、排泄物が体に付着してしまう、不潔になる、掃除に手間がかかる、家中に粉塵が舞うという課題欠点が、本発明によって解消されるのである。
【図面の簡単な説明】
【０００７】
【図１】  本発明の斜視図
【図２】  本発明の平面図
【図３】  本発明の断面図
【図４】  本発明の使用状態図
【符号の説明】
【０００８】  （１）上段、（２）下段、（３）凹凸、（４）スリット、（５）箆（へら）、（６）箆（へら）用ポケット
【図１】
2010115185.tif 000003
【図２】
2010115185.tif 000004
【図３】
2010115185.tif 000005
【図４】
2010115185.tif 000006
(57)【要約】      （修正有）【課題】疑似餌の場合、絶えず竿を動かす必要があり、疑似餌に餌を縛り付けると魚も警戒して食いつきが悪い。また、餌を直接針に刺して釣るとすぐに餌が食べられる。これらの問題を解決するために簡単・確実な釣りができる釣り仕掛け具を提供する。【解決手段】ワイヤーを餌に通す餌刺し針で、例えば、イワシの口部から餌刺し針を肛門付近に向けて突刺し、ワイヤーを餌刺し針の引掛り部に引掛けて餌刺し針を引くと、ワイヤーが餌の胴体を貫通して、ワイヤー下部の針で餌の背骨に引っかかるように止めると確実に餌が保持される。【選択図】図１
2010115187.tif 000002
【特許請求の範囲】
１．魚釣用仕掛けでアジ・イワシなどを餌にして、太刀魚釣りなどに使用する仕掛けで、餌となる魚の胴体に直接ワイヤーを通して、餌に釣り針を掛けて、太刀魚などを釣るワイヤー通し用餌刺し針。
２．魚の胴体に直接ワイヤーを通して、魚（餌）に釣り針をかける仕掛け具
【発明の詳細な説明】
【技術分野】
【０００１】刺し餌の体内にワイヤーが貫かれ釣り針が刺し餌にかけられているので遠投しても刺し餌がハリから離れ難く、餌の内部近くにハリがあるので魚には見えにくいので食いつきが非常に優れていて、魚が喰い付くと確実に釣れる。
【背景技術】
【０００２】現状は、魚の形をした疑似餌にイワシなどの餌を細い針金で縛りつけて釣る、これでは、魚も餌に喰いつき難い。
或いは、イワシ・ドジョウ・きびなごの口などに釣り針をかけて釣っていたので、すぐに魚に餌の一部が喰われて、餌が長持ちしない。
【発明の開示】
【発明が解決しようとする課題】
【０００３】疑似餌の場合は、絶えず竿を動かす必要があり、疑似餌に餌を縛り付けると魚も警戒して食いつきが悪い。また、餌を直接針に刺して釣るとすぐに餌が食べられる。
本発明は、これらの問題を解決するするためになされたものである。
【課題を解決するための手段】
【０００４】ワイヤーを餌に通す餌刺し針で例えば「イワシ」の口部から餌刺し針を肛門付近に向けて突刺し、ワイヤーを餌刺し針の引掛り部に引掛けて「餌刺し針」を引くとワイヤーが餌の胴体を貫通して、ワイヤー下部の針で餌の背骨に引っかかるように止めると確実に餌が保持される。
【発明の効果】
【０００５】ワイヤーが餌の魚の胴体を通し、餌の魚の背骨にかけるので餌が外れにくく、餌を食べに来る魚に釣り針と判別され難い。また、餌に喰い付いた魚は、すぐに釣り針に引っかかる。
【発明を実施するための最良の形態】
【０００６】  以下本発明の実施の形態について説明する。
（イ）釣刺し針（２）の先端にワイヤー（４）の針通し（３）を掛ける掛けバリ（１）を設けた餌刺し針（２）で餌の魚に掛けバリ（１）を餌の魚の口付近に突き刺し、掛けバリ（１）が餌の魚の肛門付近から出たらワイヤー（４）の針通し（３）を掛けて餌刺し針（２）を引き抜き、釣り針（５）を餌の魚の背骨付近にかける。かけた後にワイヤー（４）を少し引き締める。
本発明は、以上の構造で簡単に餌の魚にワイヤー（４）を通し釣り針で餌の魚を確実に保持して、容易に確実に太刀魚などを釣ることができる。
【図面の簡単な説明】
【０００７】
【図１】本発明の構造図
【図２】釣りバリの構造図
【図３】釣刺し針の使用図
【図４】餌への取付図
【符号の説明】
【０００８】１．餌刺し針の掛けバリ
２．釣刺し針
３．針通し
４．ワイヤー
５．釣り針
【図１】
2010115187.tif 000003
【図２】
2010115187.tif 000004
【図３】
2010115187.tif 000005
【図４】
2010115187.tif 000006
(57)【要約】【課題】  同軸コネクタ外部コンタクトのすり割り先端部内径または外径に沿って溝を切り、導電性バネ・リングを装着し、接触不完全による共振を抑えた同軸コネクタを提供するものである。【解決手段】  外部コンタクト（１）のすり割り部分（２）の先端内径または外径側にリング溝（３）を切り、そこに導電性バネ・リング（４）を装着た外部コンタクトを有する同軸コネクタを特徴とするものである。【選択図】図２
2010212219.tif 000002
【特許請求の範囲】
【請求項１】
同軸コネクタの外部コンタクトすり割り部が勘合接触しない場合でもスタブ共振を起さないよう、すり割り先端部内側または外側に溝を切り、溝にリング状導電性バネを装着しスタブとして動作しない接続処置を施した、外部コンタクトを特徴とした同軸コネクタである。
【発明の詳細な説明】
【技術分野】
【０００１】この発明は、同軸コネクタの外部コンタクトの勘合接触を改善するものである。
【背景技術】
【０００２】従来、同軸コネクタは外部コンタクト勘合の良好な接触の為、外部コンタクト部に数本のすり割りを施してバネ性を備え、より良い接触を実現していると考えられておりましたが、現実は勘合相手のコネクタの状態により接触が全て良い条件であるとはいえない場合が多々あります。特に周波数が高くなってくると部分的な不完全接触による不具合、スタブ共振、伝送路における狭帯域周波数ノッチ・ロスが顕著になってくるのである。
【発明の開示】
【発明が解決しようとする課題】
【０００３】これは、次のような欠点があった。
イ）  現状のすり割り外部コンタクト同軸コネクタは、勘合時数枚の外部コンタクト片が全て接触している場合は問題ないのですが、周波数が高くなり、コンタクト片先端が一片でも接触してない場合、この片がスタブとなり共振現象を生じさせます。これは伝送路、機器にとっては大きなロスの原因となり致命的不具合となるのである。
ロ）  同軸コネクタの締め付け具合によっても前述の共振現象は起きる可能性があります。この現象は測定器がなければ発見しにくいものです。工事現場では測定器が無いため、多くの場合不具合発見が不可能なのである。
本発明は、以上のような欠点をなくすためになされたものである。
【課題を解決するための手段】
【０００４】このすり割り外部コンタクト同軸コネクタの不完全接触による共振現象をなくすために、外部コンタクトの先端部分内径または外径側に溝を切り、その溝に沿って導電性バネ・リングを装着する。これにより外部コンタクトの一部が接触しなくてもコンタクト片が両隣とリングを介して導通している為、スタブとして動作することはなくなるのである。
【発明の効果】
【０００５】  この加工を施した同軸コネクタを使用した高周波機器、伝送路で、コネクタ結合のトルクの具合とか、勘合相手のコネクタ寸法精度を考慮することもなく、スタブ共振による伝送ロス、ＶＳＷＲの劣化等の心配をすることなく接続作業を行うことが出来るのである。
【発明を実施するための最良の形態】
【０００６】以下、本発明を実施するための最良の形態について説明する。
従来のすり割り有の外部コンタクトのＮ型コネクタ［図１］です。この図からすり割りで出来た四片のスタブが形成されることがわかると思います。
この４片がスタブとして機能しないようにするには外部コンタクトの先端部分４片を導電体で接続する必要があります。［図２］このように分離された外部コンタクト先端をバネ材のリングで内側または外側を接続することによりすり割りが施されてない状態［図３］とほぼ同等となるのである。
【図面の簡単な説明】
【０００７】
【図１】すり割り付きの一般的なＮ型コネクタ
【図２】すり割り先端部に導電性バネ・リングを装着したＮ型コネクタ及び外部コンタクト部分のリングとコンタクト分離拡大図
【図３】すり割りの無い精密Ｎ型コネクタ、測定器用として使用される。
【符号の説明】
【０００８】１  外部コンタクト
２  すり割り
３  リング溝
４  バネ・リング
【図１】
2010212219.tif 000003
【図２】
2010212219.tif 000004
【図３】
2010212219.tif 000005
(57)【要約】      （修正有）【課題】従来、墨出し作業は２人作業が殆どで、１人が始点の針を押え他の１人が墨糸を引き延ばし所定の位置に墨壺をセットし墨出しをする。これを１人で行うには針を自立固定する必要がある。【解決手段】本冶具を使用し、始点に針を刺し、墨糸を冶具に巻き付けた墨出し冶具を躯体に貼り付け自立・固定させる事で長いスパンの墨出し作業を１人で行う事が出来る。【選択図】図１
2010214585.tif 000002
【特許請求の範囲】
【請求項１】
クッション材の上面に適度な硬さの板材を固定し前記クッション材の下面に接着剤層を設け、この接着剤層面を墨出しをしたい躯体面に貼り付けて前記、板材に墨出し針を刺し込んで使用することを特長とする墨出し冶具。
【発明の詳細な説明】
【技術分野】
【０００１】
本発明は、墨出し作業を１人で行う事が出来る墨出し冶具である。          
【背景技術】
【０００２】
（１）従来、墨出し針を刺す事が出来ないような躯体面（例えば、コンクリート面等）では従来からの墨出し器を使用して行う墨出し作業は作業員が両手を広げて出来うる範囲に限られており、その範囲を超えると２人以上の作業となる。  
（２）そこで、比較的規模の大きな現場作業ではレーザー墨出し器を使用して墨出し作業を行うものも開発されているが、小規模工事や人手が不足したりする場合は適していない。
【発明の概要】
【発明が解決しようとする課題】
【０００３】
墨出し針が使用出来ないような硬い面でも、従来からの墨出し器が使用でき、１人作業が可能になる墨出し冶具を提供することを目的とする。                                                                            
【課題を解決するための手段】
【０００４】
本発明は上記の目的を達成する為に、墨出し針の刺さらないような躯体面でも使用出来るようにクッション材の上面に適度な硬さの板材を固定し、前記クッション材の下面に接着剤塗布層を設け、この接着剤層を墨出しする躯体面に貼り付けて、前記板材に墨出し針を刺して使用することを特長とする墨出し冶具。
【発明の効果】
【０００５】
上述の如く、当墨出し冶具を使用すればある程度の長いスパンでの墨出し作業を１人で行う事ができる。しいては人件費・経費節減となる。
【図面の簡単な説明】
【０００６】
【図１】当発明の墨出し冶具の指図
【実施例】
【０００７】
墨出し冶具本体１のクッション材３の上面に板材２を接着し、クッション材３の下面に接着剤層４に両面粘着テープを接着した。予め板材２の中心部付近に墨出し針５を差し込み、墨出し糸６を墨出し方向と反対方向に回し込み墨出し冶具本体１の裏面を介して墨出し方向に引き出しておく。その後、墨出し糸６を引っ張り出して墨壺７を墨出し位置にセットし、墨出し糸６をはじいて墨を打つ。当墨出し冶具１を使用する事によって、従来墨出し針を打てない躯体にも１人で容易に墨出しをする事が可能である。なお、墨出し作業終了後は当墨出し冶具をヘラ等で容易にはがす事ができ、複数回の使用も可能である。                                      
【産業上の利用可能性】
【０００８】
当該墨出し冶具１が建設業界や産業界等いろいろな処で使用されれば相当な利用価値があると考える。
【符号の説明】
【０００９】
１墨出し冶具本体
２板材
３クッション材
４両面粘着テープ
５墨出し針
６墨出し糸
７墨壺
８板材とクッション材との接着面
【図１】
2010214585.tif 000003
(57)【要約】【課題】各種サイズ及び各種形状のキャップ又はクリップ付きキャップ又は胴端を備えているホワイトボード等に使用するマーキングペンに着脱可能に容易に取りつけることができるようにしたマーキングペン用イレーザを提供する。【解決手段】マーキングペン２０のキャップ２１、クリップ２１１付きキャップ２１又は胴２２の端部に、筒穴１００を着脱可能に外嵌して圧着できるようにしたゴム・合成樹脂製のスポンジ筒状物１０からなるマーキングペン用イレーザ。【選択図】    図３
2010214834.tif 000002
【特許請求の範囲】
【請求項１】
マーキングペンのキャップ、クリップ付きキャップ又は胴端部に筒穴を着脱可能に外嵌して圧着できるようにしたゴム・合成樹脂製のスポンジ筒状物からなることを特徴としたマーキングペン用イレーザ。
【発明の詳細な説明】
【技術分野】
【０００１】
本発明は、ホワイトボード等に使用されるマーキングペン用イレーザに関する。
【背景技術】
【０００２】
従来のイレーザ付きマーキングペンは、キャップの上部筒内に小形のイレーザを収容していたが、特別の構造のため特定のメーカーしか製造しておらず、一般的に多用されている各種サイズ乃至形状のマーキングペンは、イレーザを別個に用意しなければならなかった。
【先行技術文献】
【特許文献】
【０００３】
【特許文献１】特開２００１−２１３０８８号公報
【発明の概要】
【発明が解決しようとする課題】
【０００４】
本発明は、マーキングペンのサイズ又は形状に関係なく、また、キャップ、クリップ付きキャップ又は胴端のサイズや形状に関係なく、容易に取りつけて使用できるようにしたマーキングペン用イレーザを提供するものである。
【課題を解決するための手段】
【０００５】
本発明マーキングペン用イレーザは、上記課題を達成するため、図示するように、請求項１の発明は、マーキングペン２０のキャップ２１、クリップ２１１付きキャップ２１又は胴２２の端部に筒穴１００を着脱可能に外嵌して圧着できるようにしたゴム・合成樹脂製のスポンジ筒状物１０からなるものである。
本発明において、スポンジ筒状物１０は連続気泡発泡体が好ましい。
また、本発明において、スポンジ筒状物１０の筒穴１００は必ずしも円形の穴に限定されない。
【発明の効果】
【０００６】
本発明品マーキングペン用イレーザは、各種サイズ又は各種形状のマーキングペンのキャップ又はクリップ付きキャップや胴端に、容易に外嵌して圧着して使用でき、特に、クリップ付きキャップにも容易に装着できる利点がある。さらに、構造簡単で安価に量産できる利点がある。
【図面の簡単な説明】
【０００７】
【図１】本発明の実施例の正面図である。
【図２】図１の平面図である。
【図３】図１の使用状態説明図である。
【図４】本発明の別の実施例の正面図である。
【図５】図４の平面図である。
【図６】図４の使用状態説明図である。
【発明を実施するための形態】
【０００８】
本発明を実施するための最良の形態が実施例１及び２に示されている。
【実施例１】
【０００９】
本発明実施例１のマーキングペン用イレーザは、図１及び図２に示すように、円形筒穴１００を設けている肉厚円筒状の多数の微細孔の連続気泡を形成したゴム・合成樹脂製のスポンジ筒状物１０からなる。
従って、図３に示すように、クリップ２１１付きのキャップ２１を備えたマーキングペン２０の、前記クリップ２１１付きのキャップ２１に、スポンジ筒状物１０の円形筒穴１００を強圧挿入すると、スポンジ筒状物１０の円形筒穴１００はクリップ２１１付きのキャップ２１に圧着されることになる。
スポンジ筒状物１０を圧着したクリップ２１１付のキャップ２１をマーキングペン２０の胴２２の後端に嵌入して筆記し、筆記消去したいときは、そのままスポンジ筒状物１０をイレーザとして使用でき、また、スポンジ筒状物１０を圧着したクリップ２１１付のキャップ２１をペン２０の先端に嵌入してイレーザとして使用することもできる。さらに、スポンジ筒状物１０をマーキングペン２０から離脱してイレーザとして使用することもできる。
【実施例２】
【００１０】
本発明実施例２のマーキングペン用イレーザは、図４及び図５に示すように、角筒の中央に円形筒穴１００Ｂを穿設したゴム・合成樹脂製の多数の微細孔連続気泡を形成したスポンジ筒状物１０Ｂからなる。
従って、図６に示すように、スポンジ筒状物１０Ｂの筒穴１００Ｂを、マーキングペン２０Ｂの胴端２２Ｂに強圧挿入して圧着すれば、イレーザ付きマーキングペンとして使用できる。
実施例１の円筒状イレーザ１０に比べて筆記消去に角柱外形の角部がイレーザとして使用できる利点がある。
【産業上の利用可能性】
【００１１】
本発明品は、小型、軽量、製作容易で安価に量産できる。
【符号の説明】
【００１２】
１０、１０Ｂ                スポンジ筒状物
１００、１００Ｂ            筒穴
２０、２０Ｂ                マーキングペン
２１、２１Ｂ                マーキングペンのキャップ
２１１                      マーキングペンのキャップのクリップ
２２、２２Ｂ                マーキングペンの胴
【図１】
2010214834.tif 000003
【図２】
2010214834.tif 000004
【図３】
2010214834.tif 000005
【図４】
2010214834.tif 000006
【図５】
2010214834.tif 000007
【図６】
2010214834.tif 000008
(57)【要約】【課題】  フィルタが目詰まりするまでの期間を延長することのできる気液分離器を提供する。【解決手段】  上ケーシング３と下ケーシング８と底ケーシング１３とからなるケーシング内に二重のほぼ円筒形状の排気管５を配置する。排気管５の内側円筒と外側円筒の間に旋回羽根１１を配置する。旋回羽根１１の上方を異物捕捉用のフィルタ６を介して入口７に連結し、排気管５の内側円筒の内側を通してその上方を出口１２に連結する。排気管５の下方に液溜室１５を形成して液溜室１５の下端を排液口１８に連結する。フィルタ６下方の排気管５の外側円筒の外側と上ケーシング３の内側との間に異物溜空間９を形成する。入口７から流入する異物の一部はフィルタ６へ流下せずに異物溜空間９へ流下して溜まりフィルタ６に捕捉されないので、フィルタ６が目詰まりするまでの期間を延長できる。【選択図】      図１
2010214276.tif 000002
【特許請求の範囲】
【請求項１】
ケーシング内に二重のほぼ円筒形状の排気管を配置し、排気管の内側円筒と外側円筒の間に旋回羽根を配置し、旋回羽根の上方を異物捕捉用のフィルタを介して入口に連結し、排気管の内側円筒の内側を通してその上方を出口に連結し、排気管の下方に液溜室を形成して該液溜室の下端を排液口に連結したものにおいて、フィルタ下方の排気管の外側円筒の外側とケーシングの内側との間に異物溜空間を形成したことを特徴とする気液分離器。
【発明の詳細な説明】
【技術分野】
【０００１】
本発明は、蒸気や圧縮空気や各種ガス等の気体中に混入している復水や凝縮水等の液体をケーシング内に旋回流を起こして遠心力によって分離する気液分離器に関する。
【背景技術】
【０００２】
従来の気液分離器は、例えば特許文献１に開示されている。これは、ケーシング内に二重のほぼ円筒形状の排気管を配置し、排気管の内側円筒と外側円筒の間に旋回羽根を配置し、旋回羽根の上方を異物捕捉用のフィルタを介して入口に連結し、排気管の内側円筒の内側を通してその上方を出口に連結し、排気管の下方に液溜室を形成して該液溜室の下端を排液口に連結したものである。
【先行技術文献】
【特許文献】
【０００３】
【特許文献１】特開２００２−２７６８９０号公報
【発明の概要】
【発明が解決しようとする課題】
【０００４】
上記従来の気液分離器は、入口から流入するゴミ、錆、スケール等の異物をフィルタにより捕捉して二次側へ流下させないものであるが、フィルタが比較的短期間で目詰まりしてしまうという問題点があった。
【０００５】
したがって本発明が解決しようとする課題は、フィルタが目詰まりするまでの期間を延長することのできる気液分離器を提供することである。
【課題を解決するための手段】
【０００６】
上記の課題を解決するために、本発明の気液分離器は、ケーシング内に二重のほぼ円筒形状の排気管を配置し、排気管の内側円筒と外側円筒の間に旋回羽根を配置し、旋回羽根の上方を異物捕捉用のフィルタを介して入口に連結し、排気管の内側円筒の内側を通してその上方を出口に連結し、排気管の下方に液溜室を形成して該液溜室の下端を排液口に連結したものにおいて、フィルタ下方の排気管の外側円筒の外側とケーシングの内側との間に異物溜空間を形成したことを特徴とするものである。
【発明の効果】
【０００７】
本発明によれば、フィルタ下方の排気管の外側円筒の外側とケーシングの内側との間に異物溜空間を形成したものであるので、入口から流入する異物の一部がフィルタへ流下せずに異物溜空間へ流下して溜まりフィルタに捕捉されないことにより、フィルタが目詰まりするまでの期間を延長できるという効果を奏する。
【図面の簡単な説明】
【０００８】
【図１】本発明の実施の形態に係わる気液分離器を減圧弁に組み合わせたものの部分断面図である。
【発明を実施するための形態】
【０００９】
以下、本発明の実施の形態について、図１を参照して説明する。図示の実施例は本発明による気液分離器１を、減圧弁２に一体的に組み合わせたものである。上ケーシング３の中心に位置する減圧弁２の主弁４の周囲に二重のほぼ円筒状の排気管５と異物捕捉用のテーパー状のフィルタ６を同心円に配置する。フィルタ６の外周の上方は入口７に連結する。排気管５の外側円筒は真直ぐな形状で内側円筒よりも低く形成する。排気管５の外側円筒の上にフィルタ６を載せ、排気管５の外側円筒を下ケーシング８の上に載せ、下ケーシング８を上ケーシング３にボルトで締結することにより、フィルタ６を排気管５の外側円筒と上ケーシング３との間で固定し、排気管５を下ケーシング８と上ケーシング３との間で固定する。フィルタ６はステンレス鋼薄板に多数の小円孔を開けたものである。フィルタ６の外周の下方の排気管５の外側円筒の外側と上ケーシング３の内側との間に異物溜空間９を形成する。上ケーシング３には異物溜空間９を外部に連結するブロー口２６を設け、ブロー口２６にブロー管２７を連結し、ブロー管２７にブローバルブ２８を配置する。
【００１０】
フィルタ６の内周の下方は排気管５の内外円筒の間に形成される環状空間１０に連結する。環状空間１０に排気管５と一体に旋回羽根１１を形成する。排気管５の内側円筒の内側は上方の主弁４のある空間を介して出口１２に連結する。下ケーシング８に底ケーシング１３をボルトで締結して内部に旋回室１４と、旋回室１４の下方に液溜室１５を形成する。底ケーシング１３にはフロート座１６が形成してあり、排液弁座１７が排液口１８の内端に取り付けてある。
【００１１】
液溜室１５に中空球形の弁フロート１９を配置する。弁フロート１９は液位に応じて浮上降下して排液弁座１７の排液弁口を開閉し、液体だけを排液口１８から系外に排出する。弁フロート１９を逆カップ状の隔壁部材２０で覆う。隔壁部材２０は上部が半球状で周囲が円筒状の外周壁であり、下端に手前側と向こう側に突出した２つの足を有し、足をねじで底ケーシング１３に固定する。隔壁部材２０の上部に内外を連通する通気孔２３を形成すると共に下部に内外を連通する液体通過孔２４を形成する。
【００１２】
上記の気液分離器の動作は次の通りである。異物と液体を含む気体が入口７から流入する。入口７から流入する異物の一部はフィルタ６へ流下せずに異物溜空間９へ流下して溜まりフィルタ６に捕捉されないので、フィルタ６が目詰まりするまでの期間を延長できる。異物溜空間９の異物はブローバルブ２８により外部にブローされる。入口７から流入する異物の一部はフィルタ６へ流下して捕捉される。フィルタ６を通過した液体を含む気体は旋回羽根１１で旋回せしめられる。液体は遠心力の作用で外側に振り出されて分離され、下ケーシング８の内周壁に沿って流下する。中央部の気体は排気管５の内側円筒の内側を通って減圧弁２の主弁４に向かい出口１２に流れ出る。分離された液体は隔壁部材２０の液体通過孔２４を通して内側に流入し、弁フロート１９の浮上降下により排液口１８から外部に排出される。
【産業上の利用可能性】
【００１３】
本発明は、気体中に混入している液体をケーシング内に旋回流を起こして遠心力によって分離する気液分離器に利用することができる。
【符号の説明】
【００１４】
１ 気液分離器
２ 減圧弁
３ 上ケーシング
５ 排気管
６ フィルタ
７ 入口
８ 下ケーシング
９ 異物溜空間
１１ 旋回羽根
１２ 出口
１３ 底ケーシング
１５ 液溜室
１８ 排液口
【図１】
2010214276.tif 000003
(57)【要約】      （修正有）【課題】液状樹脂での成形では、毛細管現象で部品間の隙間に液状樹脂が浸透して硬化し、突き出しが旨くいかず成形品が得られない、若しくは取出しが面倒になりサイクルに長時間を要するなどの不具合があったため、低粘度液状樹脂を使った成形品を精度良く且つ効率的に製造する方法を提供する。【解決手段】液状樹脂をシールする為、弾性を持つ樹脂成形品３をキャビティの一部として使用し、金属のレンズ駒１，２と圧接させ液状樹脂６のリークを防止する。又硬化収縮を抑える為、樹脂の補充口を設け且つ其の部分の硬化を遅らせるようにする。【選択図】図１
2010214602.tif 000002
【特許請求の範囲】
【請求項１】
液状樹脂を注入する手段と、少なくとも一部がインサート物で構成されるキャビティを有する金型と、前記液状樹脂の硬化手段を持つことを特徴とする成形装置。
【請求項２】
前記インサート物は弾性体であり、金型部材との圧接で液状樹脂とのシール性を有し、 前記インサート物は前記液状樹脂を注入するゲート口を有し、前記インサート物は前記液状樹脂が注入されるキャビティの一部を構成することを特徴とする請求項１記載の成形装置。
【請求項３】
前記液状樹脂は熱硬化型樹脂もしくは紫外線硬化型樹脂であり、１０Ｐａ・ｓ以下の粘度
を有することを特徴とする請求項１又は２記載の成形装置。
【請求項４】
請求項１乃至３のいずれか１項に記載の成形装置で成形された成形品。
【発明の詳細な説明】
【技術分野】
【０００１】
本発明は液体樹脂材料を使用し成形品を得る際の成形装置及びその成形品の形状に関する。        
【背景技術】
【０００２】
液状樹脂の用途としては、接着剤、光学ディスクの保護膜、各種成形品等を其々ディスペンサー塗布、スピンコート、射出成形機などを使い製造に寄与している。材質としてはＵＶ硬化樹脂であったり熱硬化性樹脂であったりする。最近では耐熱性レンズなどに応用範囲を広げており。その結果として、有用な成形製造技術の開発が望まれている。
【０００３】
従来液状樹脂での成形では、毛細管現象で部品間の隙間に液状樹脂が浸透してしまい、その後固化し突出し等が使えず成形品が得られない、若しくは取出しが面倒になり１サイクルに長時間を要するなどの不具合があった。又、液状樹脂は硬化する際概ね５％以上の体積収縮を示し、硬化前に金型から部分的な剥離等が生じ、金型からの精密転写・成形と言う観点では充分に満足のいく事はなかった。
【先行技術文献】
【特許文献】
【０００４】
【特許文献１】特開２００８−２３８７０１号公報
【特許文献２】特開２００８−２１３１９５号公報
【発明の概要】
【発明が解決しようとする課題】
【０００５】
本発明は上記問題に鑑み、低粘度液状樹脂を使った成形品を精度良く且つ効率的に製造することを目的とするものである。
【課題を解決するための手段】
【０００６】
前記不具合を解決する為、
請求項１に係る発明は、液状樹脂を注入する手段と、
キャビティの一部はインサート物で構成されるキャビティを有する金型と、
液状樹脂の硬化手段を持つ成形装置である。
【０００７】
請求項２に係る発明は、
インサート物は弾性体で、金型部材との圧接で液状樹脂のシール性を保持する為に使用する。 インサート物は液状樹脂を注入するゲート口を有すると同時に成形品のキャビティの役目を果たす。ゲート口内に滞留した樹脂は空気との接触面積が多い為受熱による硬化が遅れる。その結果キャビティ内樹脂が硬化収縮する際、ゲート内の未硬化樹脂が収縮分を補填する役目をする。
【０００８】
請求項３に係る発明は、
液状樹脂は例えば、熱硬化樹脂もしくは紫外線硬化型樹脂であり、通常１０Ｐａ・ｓ以下の粘度を有する。
前者は受熱により硬化し、後者は紫外線受光により硬化する。
【０００９】
請求項４に係る発明は、
上記手段により製作される成形品は、インサート物と接合した状態で使用される場合と、インサート物より分離して使用する場合とがある。
【発明の効果】
【００１０】
本発明によれば、低粘度液状樹脂を使った成形品を精度良く且つ効率的に製造する事が出来る
【図面の簡単な説明】
【００１１】
【図１】本発明の液状樹脂成形品の成形装置である。
【発明を実施するための形態】
【００１２】
以下に本発明を実施形態に基づいて説明するが、本発明はこれに限定されるものではない。
【実施例】
【００１３】
本実施例では、光学レンズの製造として熱硬化性樹脂を使用した場合である。
図１では筐体付きレンズユニットの製作例で、液体注入にディスペンサーを使用する。インサート物（筐体）は耐熱性熱可塑樹脂製である。筐体の内径に対し型部品が圧入気味に嵌合し、液体のリークを防止している。ゲート口部の液は空気に曝され且つ熱伝導性の低い樹脂で囲われているので、受熱・硬化に遅れが生じ結果として製品部の体積収縮時の液補充の役目を果たす。製品突き出しは筐体部を突き出せば良いので、取出しは容易である。
【産業上の利用可能性】
【００１４】
低粘度樹脂材料成形全般に利用可能であるが、インサート物を使用しなければならないので、其れがコストアップに繋がる可能性もある。又、金属インサートの場合シールが難しいので、樹脂の弾性体をインサート物として選択する事が望ましい。
【符号の説明】
【００１５】
１  レンズ駒Ａ
２  レンズ駒Ｂ
３  筐体（インサート物）
４  突き出し
５  ディスペンサー
６  液状樹脂(成形品）
７  ゲート口
８  シール部
【図１】
2010214602.tif 000003